(57)【要約】 【課題】  イル−ジョンを演出できる浮遊ディスクを提供する。【解決手段】  本発明の浮遊ディスク（１００）は、（Ａ）ディスク形状のハウジング（１０２）と、（Ｂ）前記ハウジング（１０２）に連結される一連の光源（１０４）と、（Ｃ）前記ハウジング（１０２）に取り付けられ、前記光源（１０４）に電気的に接続される回路基板（３０４）と、（Ｄ）前記光源（１０４）に電力を与える為に、前記回路基板（３０４）に電気的に接続される電源（３０６）と、を有する。ユーザ（マジシャン）は、極細糸（２００）を前記ハウジング（１０２）に取付、前記ハウジング（１０２）を、その軸方向中心軸（１０６）を中心に回転させて、前記光源（１０４）を光らせ、それにより前記浮遊ディスク（１００）が浮遊しているかのように見せることができる。【選択図】  図３Ａ
2013517069.tif 000002
【特許請求の範囲】
【請求項１】
浮遊ディスク（１００）において、
（Ａ）ディスク形状のハウジング（１０２）と、
（Ｂ）前記ハウジング（１０２）に連結される一連の光源（１０４）と、
（Ｃ）前記ハウジング（１０２）に取り付けられ、前記光源（１０４）に電気的に接続される回路基板（３０４）と、
（Ｄ）前記光源（１０４）に電力を与える為に、前記回路基板（３０４）に電気的に接続される電源（３０６）と、
を有し、
ユーザは、極細糸（２００）を前記ハウジング（１０２）に取付け、前記ハウジング（１０２）を、その軸方向中心軸（１０６）を中心に回転させて、前記光源（１０４）を光らせ、それにより前記浮遊ディスク（１００）が浮遊しているかのように見せることができる
ことを特徴とする浮揚ディスク。
【請求項２】
（Ｅ）前記ハウジングに接続される極細糸（２００）
を更に有する
ことを特徴とする請求項１記載の浮揚ディスク。
【請求項３】
（Ｆ）前記極細糸（２００）を前記ハウジング（１０２）に接着する接着剤（２０２）
を更に有する
ことを特徴とする請求項２記載の浮揚ディスク。
【請求項４】
前記光源（１０４）は、ＬＥＤである
ことを特徴とする請求項３記載の浮揚ディスク。
【請求項５】
前記回路基板（３０４）は、前記ハウジング（１０２）内に配置され、
前記回路基板（３０４）は、中央部（３０８）と複数のアーム（３１０）とを有し、
前記各アーム（３１０）は、前記中央部（３０８）から伸び、アーム端部（３１２）に至る
ことを特徴とする請求項４記載の浮揚ディスク。
【請求項６】
前記回路基板（３０４）は、前記アーム（３１０）を３本有し、
前記３本のアーム（３１０）は、同一形状をしており、これにより、前記回路基板（３０４）が前記中心軸（１０６）の回りに均等に重み付けられる
ことを特徴とする請求項５記載の浮揚ディスク。
【請求項７】
前記電源（３０６）は、バッテリを３個有し、
前記バッテリは、前記アーム端部（３１２）に取り付けられ、これにより、前記浮遊ディスク（１００）が前記中心軸（１０６）の回りに均等に重み付けられる      
ことを特徴とする請求項６記載の浮揚ディスク。
【請求項８】
（Ｇ）マイクロ・プロセッサを更に有し、
前記マイクロ・プロセッサは、前記ハウジング（１０２）に取り付けられ、前記回路基板（３０４）に電気的に接続され、前記光源（１０４）を様々に変化するパターンで光らせる
ことを特徴とする請求項７記載の浮揚ディスク。
【請求項９】
（Ｈ）遠心力で動作するスイッチ（３１３）を更に有し、
前記遠心力で動作するスイッチ（３１３）は、前記回路基板（３０４）に電気的に接続され、前記浮揚ディスクが回転した時に、前記光源（３０６）を活性化する
ことを特徴とする請求項８記載の浮揚ディスク。
【請求項１０】
前記マイクロ・プロセッサは、前記浮遊ディスクの回転が停止した時点から所定の時間後前記光源（１０４）をオフにする
ことを特徴とする請求項９記載の浮揚ディスク。
【請求項１１】
前記遠心力で動作するスイッチ（３１３）は、前記回路基板（３０４）に前記アームの端部近傍で取り付けられる
ことを特徴とする請求項１０記載の浮揚ディスク。
【請求項１２】
前記回路基板（３０４）は、前記ハウジング（１０２）内に配置され、
前記回路基板（３０４）は、中央部（３０８）と複数のアーム（３１０）とを有し、
前記各アーム（３１０）は、前記中央部（３０８）から伸び、アーム端部（３１２）に至る
ことを特徴とする請求項１記載の浮揚ディスク。
【請求項１３】
前記回路基板（３０４）は、前記アーム（３１０）を３本有し、
前記３本のアーム（３１０）は、同一形状をしており、これにより、前記回路基板（３０４）が前記中心軸（１０６）の回りに均等に重み付けられる
ことを特徴とする請求項１２記載の浮揚ディスク。
【請求項１４】
前記電源（３０６）は、バッテリを３個有し、
前記バッテリは、前記アーム端部（３１２）に取り付けられ、これにより、前記浮遊ディスク（１００）が前記中心軸（１０６）の回りに均等に重み付けられる
ことを特徴とする請求項１２記載の浮揚ディスク。
【請求項１５】
（Ｈ）遠心力で動作するスイッチ（３１３）を更に有し、
前記遠心力で動作するスイッチ（３１３）は、前記回路基板（３０４）に前記アームの端部近傍で取り付けられる
ことを特徴とする請求項１２記載の浮揚ディスク。
【請求項１６】
（Ｇ）マイクロ・プロセッサを更に有し、
前記マイクロ・プロセッサは、前記ハウジング（１０２）に取り付けられ、前記回路基板（３０４）に電気的に接続され、前記光源（１０４）を様々に変化するパターンで光らせる
ことを特徴とする請求項１記載の浮揚ディスク。
【請求項１７】
前記マイクロ・プロセッサは、前記浮遊ディスク（１００）の回転が停止した時点から所定の時間後前記光源（１０４）をオフにする
ことを特徴とする請求項１６記載の浮揚ディスク。
【請求項１８】
（Ｈ）遠心力で動作するスイッチ（３１３）を更に有し、
前記遠心力で動作するスイッチ（３１３）は、前記回路基板（３０４）に電気的に接続され、前記浮揚ディスク（１００）が回転した時に、前記光源（３０６）を活性化する
ことを特徴とする請求項１記載の浮揚ディスク。
【請求項１９】
前記光源（１０４）は、ＬＥＤである
ことを特徴とする請求項１記載の浮揚ディスク。
【発明の詳細な説明】
【技術分野】
【０００１】
本発明は、様々なイリュージョンを演出するマジックの分野で使用される手品の種に関し、特に、浮遊のイリュージョンを提供するような重量が分散したディスクに関する。
【背景技術】
【０００２】
本発明は、特に浮遊する物体に関する。浮遊するイリュージョンは、裸眼では見えない糸即ち極細糸を用いて達成される。極細糸は、極めて細い糸で裸眼では通常見ることはできない為、マジシャンは、物をこの極細糸から吊して、物が浮遊するイリュージョンを演出している。
【０００３】
目に見えない糸を使用することにより、あるマジシャンは「フライングカード」のトリックを行っている。このトリックでは宙づりの（浮遊）カードを回転させる。「フライングカード」のトリックは、１９５０年にBob Hummerにより初めて行われた。このトリックは実行することが難しい。その理由は、マジシャンはバランスの悪い軽いカードを回転させる必要があるからである。更にカードは、回転中はバランスを取ることが極めて難しい。その理由はカードは非常に軽いうえに丸くはないからである。
【先行技術文献】
【特許文献】
【０００４】
【特許文献１】米国特許第４，２２８，６１６号明細書
【特許文献２】米国特許第４，３１０，６１６号明細書
【特許文献３】米国特許第４，４５３，９１７号明細書
【特許文献４】米国特許第４，７７８，４２８号明細書
【特許文献５】米国特許第５，４２９，５５２号明細書
【特許文献６】米国特許第５，９３１，７１６号明細書
【０００５】
別のマジシャンであるJim Paceは、オリジナルのフライングカード・トリックに改良を加えて、カードのエッジにＬＥＤを入れ中心にバッテリを配置した。ＬＥＤを動作させるためには、このカードトリックにおいては、ユーザはバッテリの電源を手動でいれなければならない。カードは丸くないために回転するのが難しい。バッテリはカードの中心に配置されており、端側にはないために、カードの軸が簡単にズレ、その結果カードはバランスを失い更には失速する。かくして一般的な形状のカードでは、良好なバランスを与えることができず、その結果カードが容易には回転しない。
【０００６】
カードに代わる物としてディスクがある。ディスクは、円筒状であり程よい重さがありバランスの取れた回転をさせることができる。例えば一般的なフリスビーは、重量配分が均等であるために、フリスビーは長時間回転できる。しかし、更なる部品がこのディスクに付加された時には、問題が発生する。
【０００７】
一例として特許文献１は、円盤状のフライングトイ（浮遊するおもちゃ）を開示する。ディスクは、一般的に円形で軽いために、モーター駆動のホイールシステムが付加されて、回転中にバランスを失わないようにしている。
【０００８】
別の実施例が特許文献２に開示されている。特許文献２は、３個のバッテリからなる光源を有するフリスビーを開示する。バッテリはフリスビーの周囲に均等に分散して配置されているが、それらはフリスビーの中心の方向を向いている。この構成の問題点は、フリスビーがその回転軸を中心に回転すると、重量が中心に偏ってバッテリが揺らぐことである。
【０００９】
別の実施例が特許文献３に開示されている。特許文献３は、回転するおもちゃ用の光るシステムを開示する。特許文献３の固有の問題点は、ソーサ（皿）の中心に大きなバッテリを配置したことに起因する。バッテリはソーサ（皿）の中心部に固定されているために、ソーサ（皿）の回転安定性が減少し、その結果回転バランスを容易に失うことになる。
【００１０】
別の実施例が特許文献４に開示されている。上記の場合と同様に、特許文献４は、バッテリと電源がソーサ（皿）の中心に配置される構造を開示する。この様に中心に配置することにより、ソーサ（皿）の回転安定性が減少し、その結果、回転バランスを容易に失うことになる。
【００１１】
更なる実施例が特許文献５，６に開示されている。上記の実施例と同様に、この特許文献５，６は、電気部品がソーサ（皿）の中心にあるような構成を開示する。
【００１２】
別の実施例は、Mystery Lights UFUと言う名称で市販されている製品である。このMystery Lights UFUは、２個のＬＥＤを各サイドに搭載し、それらは非常に小さい。重要な点は、ＬＥＤはUFOの中心にあるバッテリにより電源が与えられ、それがマジシャンの身体の回りで回転すると、UFOはバランスを失い簡単に落ちてしまう。
【００１３】
構成要素を中心に配置し、最終的にソーサ（皿）の重心を中心に配置することにより、従来技術では回転するソーサ（皿）は、簡単にその回転バランスを失う欠点がある。
【発明の概要】
【発明が解決しようとする課題】
【００１４】
かくして容易に回転しＬＥＤを容易に活性化でき、回転中にそのバランスを失うことのない浮遊物体に対するニーズが依然として存在する。
【課題を解決するための手段】
【００１５】
上記の問題点を考慮しながら、本発明者は、バッテリを均等に分散して搭載した浮遊ディスクを提供し、これにより浮遊ディスクは、回転軸を維持しながら容易に回転することができる。
【００１６】
本発明の浮遊ディスクは、中心軸を有するディスク形状のハウジングと、前記ハウジングに連結される一連の光源とを有する。回路基板が、前記ハウジングに取り付けられ、前記光源に電気的に接続される。電源が、前記回路基板に電気的に接続され、前記光源に電力を与える。ユーザは、極細糸を前記ハウジングに取付、前記ハウジングを、その軸方向中心軸を中心に回転させて、前記光源を光らせ、それにより前記浮遊ディスクが浮遊しているかのように見せる。
他の実施例においては、前記ハウジングに接続される極細糸を更に有する。前記極細糸を前記ハウジングに接着する接着剤を更に有する。
他の実施例においては、前記光源は、発光ダイオード（ＬＥＤ）である。
更に、前記回路基板は、前記ハウジング内に配置され、中央部と複数のアームとを有し、前記各アームは、前記中央部から伸び、アーム端部に至る。
前記回路基板は、前記アームを３本有し、前記３本のアームは、同一形状をしており、これにより、前記回路基板が前記中心軸の回りに均等に重み付けられる。
前記電源は、バッテリを３個有し、前記バッテリは、前記アーム端部）に取り付けられ、これにより、前記浮遊ディスクが前記中心軸の回りに均等に重み付けられる。
他の実施例においては、マイクロ・プロセッサを更に有し、前記マイクロ・プロセッサは、前記ハウジングに取り付けられ、前記回路基板に電気的に接続され、前記光源を様々に変化するパターンで光らせる。
他の実施例においては、遠心力で動作するスイッチを更に有し、前記遠心力で動作するスイッチは、前記回路基板に電気的に接続され、前記浮揚ディスクが回転した時に、前記光源を活性化する。前記マイクロ・プロセッサは、前記浮遊ディスクの回転が停止した時点から所定の時間後前記光源をオフにする。
【図面の簡単な説明】
【００１７】
【図１】本発明の浮遊ディスクの斜視図。
【図２】極細糸を取り付けた浮遊ディスクの斜視図。
【図３Ａ】浮遊ディスクの内部部品の展開図。
【図３Ｂ】回路基板の一例を表す図。
【図３Ｃ】回路基板の一例を表す図。
【図３Ｄ】貫通孔が形成されたアームを具備する回路基板の一例を表す図。
【図３Ｅ】スイッチが他の場所にある本発明の浮遊ディスクの展開図。
【図４】浮遊ディスクの内部を表す図。
【図５】浮遊ディスクの軸方向に沿った断面図。
【図６】浮遊ディスクの背面図。
【図７】浮遊ディスクの右側面図。
【図８】浮遊ディスクの上面図。
【図９】浮遊ディスクの底面図。
【発明を実施するための形態】
【００１８】
本明細書において、右側、左側、前、後、上部、底部、前方、後方、時計方向、反時計方向は、便宜上使用するものであって特定の方向を示唆するものではない。それらの表記は相対的な場所及び対象物の様々な部分との間の方向を指すに過ぎない。
【００１９】
図１に本発明の浮遊ディスク１００を示す。具体的には本発明は、浮遊のイリュージョンを演出する回転する浮遊ディスク１００に関する。浮遊ディスクのコンセプトは、フライングカードのトリックで使用されたものであり、マジシャンは浮遊するカードに回転を与える。しかしカードは丸くないため回転するのが難しい。更にカードは軽いために回転中にバランスを取るのが難しい。均等に重みが分散していない従来の物体に対しては、別の問題が存在する。それらが回転中にバランスを容易に失い、その結果浮遊のイリュージョンが消えてしまうことである。
【００２０】
従来技術の改善点として、本発明の浮遊ディスク１００は、浮遊ディスク１００の周囲にバッテリが配置されており、その結果、回転すると、重量は浮遊ディスク１００の外側／周囲に分散している。この構成の利点は、完全なバランスを与えることができ、その結果、浮遊ディスク１００が回転すると、浮遊ディスク１００はバランスを失ったり落下することがなく、浮遊ディスク１００は、高速かつ安定して回転し、回転速度を維持することができる。本発明の詳細を以下説明する。
【００２１】
浮遊ディスク１００は、ハウジング１０２と、このハウジング１０２に連結された一連の光源１０４とを有する。ハウジング１０２は、回転するのに適した形状をしている。ハウジング１０２は、ＵＦＯを表し、その結果、浮遊ディスク１００は、小さなＵＦＯのように見える。浮遊ディスク１００は、中心軸１０６を有し、それを中心に浮遊ディスク１００が回転する。中心軸１０６は、浮遊ディスク１００の中央を貫通して回転中心となる（実際に軸が存在するわけではない）。
【００２２】
図２において、浮遊ディスク１００を回転させるために、浮遊ディスク１００は、何かから吊す必要がある。かくして本発明の浮遊ディスク１００は、極細糸２００を有し、これでディスク形状のハウジング１０２に接続されている。極細糸２００は、「裸眼では見えない糸」とも称し、非常に細いフィラメントであり、裸眼では見ることができない程細い。極細糸２００は、個々のストランドに分離されたナイロンから形成されるが、時にシルクの場合もある。この極細糸の一例は、Yigal Mesika（本出願人）から市販されている「Invisible Thread」である。
【００２３】
接着剤２０２を用いて、極細糸２００をハウジング１０２に接着する。接着剤２０２は、ユーザが極細糸２００をハウジング１０２に接着できるような適宜の部材であり、その一例はワックスである。かくしてユーザは、ワックスを用いて極細糸２００を浮遊ディスク１００に接着できる。
【００２４】
一例として、接着剤２０２は、最初に極細糸２００にその後浮遊ディスク１００に接着する。かくして接着剤２０２を極細糸２００の周りに固定（接着）する際には、極細糸２００を接着剤２０２の中心に置くことは難しい。更に接着剤２０２は浮遊ディスク１００に接着されるが、それが中心にくることは稀である。かくしてバッテリ（電源３０６）を浮遊ディスク１００又はハウジング１０２の周囲に配置することは、回転中の浮遊ディスク１００の安定性に寄与する。
【００２５】
図３Ａにおいて、ハウジング１０２は、第１半分部分３００と第２半分部分３０２とから構成される。これらはネジ３０３（或いは、嵌め合い等）で連結される。ハウジング１０２とここに開示された様々な構成要素は、適宜の部品あるいは適宜の部材を含む、あるいは取り付ける様々な材料を含む。一例として、ネジ３０３はプラスチック製のネジであり、ハウジング１０２は、プラスチック製又は発泡材料製あるいは他の軽量な材料製である。その結果浮遊ディスク１００は極細糸で吊り下げることができる。ハウジング１０２は、一体品あるいは複数の部品（例えば第１半分部分３００とネジ３０３と第２半分部分３０２）で形成される。更に浮遊ディスク１００は適宜の大きさである。一例として、浮遊ディスク１００は、組立後は幅（円形の場合は直径）８３ｍｍで厚さが２２ｍｍである。
【００２６】
回路基板３０４は、ハウジング１０２に取り付けられ、光源１０４に電気的に接続される。光源１０４は、光る適宜の物体でありその一例はＬＥＤである。光源１０４に電力を与えるために、電源３０６は、回路基板３０４又は光源１０４に電気的に接続される。電源３０６は、光源１０４に電力を与える適宜の物品であり、その一例は３Ｖのリチウム電池である。各バッテリは３．３Ｖで動作するが、ステップアップコンバータで、電圧を上げてＬＥＤを光らせるてもよい。例えば青と緑のＬＥＤは、より多くのパワー例えば３．３Ｖを必要とする。
【００２７】
本発明によれば、浮遊ディスクは、適宜の数の光源１０５を有する。一例として、浮遊ディスク１００は、５個のＬＥＤを有する。このＬＥＤは、あらゆる色で光る、あらゆる順番で光ることもできる。一例としてＬＥＤの色は、上部から底部にかけて、赤、青、黄、緑、赤の順番でもよい。
【００２８】
ＬＥＤは、浮遊ディスク１００が回転中に点滅してもよい。一例として、この点滅間隔は一定あるいはＬＥＤ毎に変わっていてもよい。点滅の間隔により、適宜のパターンあるいは複数のパターン（３０通りのパターン）を形成できる。浮遊のイリュージョンを実行している間、点滅するＬＥＤを用いて、観客の目を、浮遊ディスク１００の点滅する光あるいはパターンに向けさせて、浮遊ディスク１００を吊っている極細糸から目をそらせて、浮遊のイリュージョンをより完璧に演出できる。
【００２９】
図３Ａは、光源１０５がＬＥＤストラップ３０５に接続されている状態を示す。このＬＥＤストラップ３０５は、ハウジング１０２と回路基板３０４のアーム３１０との間に配置されている。この構成は単なる一実施例であり、ＬＥＤストラップ３０５は、必ずしも回路基板３０４のアーム３１０の下に配置する必要はなく、あらゆる場所に配置可能である。一例として、ＬＥＤストラップ３０５は回路基板３０４の層の間に配置することもできる。他の実施例として、光源１０５が突出する複数のＬＥＤ穴５０７の代わりに、浮遊ディスク１００は、その上部に１個の孔が形成され、この孔にＬＥＤストラップ３０５あるいはワイヤを通し、これによりＬＥＤストラップ３０５を浮遊ディスク１００の上部に固着することもできる。ＬＥＤ１０５を具備したフレキシブルな回路基板３０４を、その後浮遊ディスク１００に取り付けることもできる。一実施例においては、ハウジング１０２は、軽量な材料例えば発泡スチロールから形成され、ＬＥＤストラップ３０５が容易にそこに接着可能となる。
【００３０】
図３Ａにおいて、回路基板３０４は、ハウジング１０２内に配置され、中央部分３０８とアーム３１０とを有する。各アーム３１０は、中央部分３０８からアーム端部３１２に伸びる。回路基板３０４は、中央部分３０８から伸びる適宜の本数のアーム３１０を有する。アーム３１０の本数の一例は、２本、３本、４本である。同図に示すように、回路基板３０４は３本のアーム３１０を有する。これらはほぼ同じ形状で、中央部分３０８の周囲に均等に分散して配置され、回路基板３０４が中央部分３０８と中心軸１０６の周囲に均等にかかるようにしている。回路基板３０４の形状の変形例としては、図３Ａに示す３本のアーム３１０で交換することもできる。図３Ｂに示すように、回路基板３０４’は４本のアームを具備し、プラスのサインの格好をして、電源３０６をアームのエッジに配置することもできる。図３Ｃに示す他の実施例においては、回路基板３０４”は、垂直方向に厚みのある棒であり、２本のアームが中央から伸び、２個の電源３０６がこの２本のアームの端部に配置される。
【００３１】
図３Ｄは、回路基板３０４”’の他の実施例を示す。この実施例においては、アーム３１０は、アーム３１０に開けられた１個又は複数個の穴３１４を有する。穴３１４は、中央部分３０８から各アーム３１０に沿って、アーム３１０のエッジ（端部）まで形成されている。端部に電源（バッテリ）３０６が配置される。穴３１４はアーム３１０’”の重量を軽減し、重量をディスクの周囲に分散させる効果がある。これにより最終的に極細糸が支持するのに必要な重量を軽減し、ディスクのバランスを保持する。穴３１４は３本のアームを貫通するよう示されているが、本発明は、これに限定されず、穴３１４は回路基板に形成してもよい。４本のアーム（図３Ｂ）と２本のアーム（図３Ｃ）を有してもよい。
【００３２】
更に浮遊ディスク１００は、適宜の数のバッテリを電源３０６として含む。例えば浮遊ディスク１００は３個のバッテリを含む。この実施例において、アーム端部３１２にはバッテリ（電源３０６）が取り付けられている。バッテリをアーム端部３１２に取り付けることにより、バッテリの重量は浮遊ディスク１００の周囲に均等に分散し、これにより浮遊ディスク１００に、安定した回転を与える。
【００３３】
浮遊ディスク１００は適宜のスイッチング機構を具備し、光源１０４を切り換えることもできる。例えばスライドスイッチ（又はボタンスイッチ等）を搭載して、電気を光源１０４に与え、これによりユーザは、手動で光源１０４をオン／オフできる。
【００３４】
別の構成として、遠心力で動作するスイッチ３１３を回路基板３０４に電気的に接続することもできる。この遠心力で動作するスイッチ３１３は、適宜のスイッチング機構であり、浮遊ディスク１００が回転すると、光源１０４を活性化する。一実施例として、この遠心力で動作するスイッチ３１３は、回路基板３０４から立ち上がるピンを具備したスプリングを含む。浮遊ディスク１００が回転すると、遠心力がスプリングにかかり、スプリングがピンに接触し、電気回路を閉じて、光源１０４をオンにする。別の構成として、浮遊ディスク１００の回転が減速すると、遠心力で動作するスイッチ３１３は、電気回路を開き光源１０４をオフにすることもできる。
【００３５】
ユニット（光源１０４）を活性化する遠心力で動作するスイッチ３１３は、適宜の場所に配置可能である。例えば図３Ａに示すように、スイッチ３１３は回路基板３０４の中心に配置できる。別の構成として、図３Ｄに示すように、スイッチ３１３は、中心近傍ではなく回路基板３０４”’のアーム端部３１２上に配置することもできる。更なる配置構成を図３Ｅに示す。同図において、スイッチ３１３は、回路基板３０４の上部に配置される。具体的には、スイッチ３１３は、電源３０６の上部のアーム端部３１２近傍に配置できる。これにより、スイッチ３１３を浮遊ディスク１００の周囲に配置可能となり、電源３０６は容易に取り外しができるようになる。
【００３６】
言い換えると、スイッチ３１３が具備したスプリングは、浮遊ディスク１００の回転中にユニットを活性化し、停止（非回転）中にはユニットを非活性化する。停止中はスプリングが接点に接触しないからである。浮遊ディスク１００は、タイマーを具備して点灯している時間を決定することもできる。スプリングスイッチ（即ち、遠心力によるスイッチ）３１３は、浮遊ディスク１００の中央部に配置できるが、回路基板３０４のエッジあるいはバッテリの近傍に配置することもできる。遠心力によるスイッチ３１３は、アーム端部３１２の近傍あるいはバッテリの近くに配置するのが好ましい。その理由は、浮遊ディスク１００が回転中には遠心力は浮遊ディスク１００の周囲が中心より大きくなり、これにより、接点の感度が良くなるからである。
【００３７】
浮遊ディスク１００は、マイクロ・プロセッサ３１４を有する。このマイクロ・プロセッサ３１４は、ハウジング１０２に、回路基板３０４又は他の適宜の接続手段を介して固定され、電気的に回路基板３０４に接続される。マイクロ・プロセッサ３１４は、光源１０４が様々に変化するパターンを照射するようにすることもできる。例えばＬＥＤが点滅して、別のパターン（３０通りのパターン）を作り出すこともできる。
【００３８】
他の態様において、マイクロ・プロセッサ３１４は、浮遊ディスク１００の回転が停止した後所定の時間（１秒後）、光源１０４をオフにすることもできる。
【００３９】
図３Ａに示すように、マイクロ・プロセッサ３１４は、回路基板３０４に中央部分３０８で取り付けて、浮遊ディスク１００の回転安定性に対する悪影響を減らすことができる。上記したように、浮遊ディスク１００の重量は、回転の安定性を維持するのに重要である。このことは、アーム端部３１２に配置したバッテリを具備した３本のアーム３１０の配置により示される。他の構成（図３Ｃ）においては、１本の棒（即ちアーム端部３１２から突き出た２本のアーム）として構成されるので、バッテリはアーム端部３１２で各アームに配置され、マイクロ・プロセッサ３１４は中央部分３０８に配置される。この構成により、ディスクに安定性を与えることができる。安定した構成とは、浮遊ディスク１００の全幅に渡って、好ましくは浮遊ディスク１００の周囲に、重量を均等に分散する構成である。重量を周囲に分散させることにより、浮遊ディスク１００は、回転したときに回転の慣性力を維持できる。これはフライホイール、ジャイロスコープに類似する。
【００４０】
図４は、ディスクの第１半分部分３００とその内部構成要素を示す。同図に示すように、回路基板３０４は３本のアーム３１０を有する。このアーム３１０は中央部分３０８から伸びて、円周方向に均等に分散配置されている。マイクロ・プロセッサ３１４は、中央部分３０８の近傍にあるいはその上に取り付けられる。更に、遠心力で動作するスイッチ３１３は、スプリング４００とピン４０２（回路基板３０４から伸びる）とを有する。バッテリ（電源３０６）は、各アームのアーム端部３１２に取り付けられる。
【００４１】
図５は、浮遊ディスク１００の横方向断面を示す。同図において、回路基板３０４は、ハウジング１０２内に配置され、光源１０４は、回路基板３０４に電気的に（ワイヤあるいは他の適宜の導電体を介して）接続される。
【００４２】
上記したように、本発明の浮遊ディスク１００の構造により、浮遊ディスク１００がその中心軸の回りを回転した時に、回転の安定性を与える。これは浮遊のイリュージョンを行うときに重要なことである。この様なイリュージョンの一例は、極細糸の一端をハウジングに接着剤を用いて取り付け、極細糸の他端は巻かれて、ユーザ（マジシャン）の耳にテープで留められ、これにより浮遊ディスク１００がユーザの耳から垂れることになる。浮遊ディスク１００は、ユーザの耳から垂れると、回転し、浮遊ディスク１００が浮いているようなイリュージョンを演出する。極細糸は見ることが難しいので、ユーザは浮遊ディスク１００を一方の手から他方の手に糸を親指の回りに掛けることにより浮遊させて、浮遊ディスク１００を思い通りに動かすことができる。このイリュージョンは、浮遊ディスク１００をユーザの身体の回りに投げることにより強調される。これは回転慣性力とユーザの身体に取り付けられている事実による。これにより、ユーザの回りを浮遊ディスク１００が回転することになる。
【００４３】
この様なイリュージョンを実行する際に、浮遊ディスクは、テーブル上で回転し極細糸を用いてテーブルから浮遊させることもできる。本発明の効果として、本発明は、浮遊ディスクの周囲に配置されたバッテリを具備する浮遊ディスクを提供し、その結果、浮遊ディスクが回転するときには、重量は浮遊ディスクの外側／周囲に分散することになる。この構成の利点は、完全なバランスが取れ、その結果、浮遊ディスクが回転しているときには、浮遊ディスクは回転力を失うことなくあるいははじき飛ばされることもない。これにより、浮遊ディスクは、高速で安定して回転し、更には回転を長く維持できる。
【００４４】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
特許請求の範囲に記載された「手段」「ステップ」は、米国特許法第１１２条６号に記載された限定的な意味以上の広い意味を有する。
【符号の説明】
【００４５】
１００  浮遊ディスク
１０２  ハウジング
１０４  光源
１０５  光源
２００  極細糸
２０２  接着剤
３００  第１半分部分
３０２  第２半分部分
３０３  ネジ
３０４  回路基板
３０５  ＬＥＤストラップ
３０６  電源
３０８  中央部分
３１０  アーム
３１２  アーム端部
３１３  遠心力で動作するスイッチ
３１４  穴（図３Ｄ）、マイクロ・プロセッサ（図３Ａ）
４００  スプリング
４０２  ピン
【図１】
2013517069.tif 000003
【図２】
2013517069.tif 000004
【図３Ａ】
2013517069.tif 000005
【図３Ｂ】
2013517069.tif 000006
【図３Ｃ】
2013517069.tif 000007
【図３Ｄ】
2013517069.tif 000008
【図３Ｅ】
2013517069.tif 000009
【図４】
2013517069.tif 000010
【図５】
2013517069.tif 000011
【図６】
2013517069.tif 000012
【図７】
2013517069.tif 000013
【図８】
2013517069.tif 000014
【図９】
2013517069.tif 000015
【国際調査報告】
2013517069.tif 000016
2013517069.tif 000017
2013517069.tif 000018